【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
複数の衛星からのスペクトラム拡散信号である第１の測位信号を用いて、位置情報を提供することが可能な位置情報提供システムであって、
屋内送信機を備え、
前記屋内送信機は、
前記屋内送信機が設置される場所を特定するための位置データを格納する第１の記憶手段と、
前記位置データを伝送するためのフレーム構造を有する第２の測位信号をスペクトラム拡散信号として生成する生成手段とを含み、前記フレーム構造は、前記位置データを格納するための領域として、Ｘ座標データを格納する領域と、Ｙ座標データを格納する領域と、Ｚ座標データを格納する領域とを有しており、
前記スペクトラム拡散信号を送信する送信手段とを含み、
前記位置情報提供システムは、位置情報提供装置をさらに備え、
前記位置情報提供装置は、
スペクトラム拡散信号を受信する受信手段と、
前記第１の測位信号についての第１の符号パターンと、前記第２の測位信号についての前記第１の符号パターンとは異なる第２の符号パターンとを格納する第２の記憶手段と、
並列に設けられ、かつ前記第１の測位信号および前記第２の測位信号について共通に設けられた複数のコリレータを含み、前記複数のコリレータの各々に対して前記第１の測位信号についての前記第１の符号パターンおよび前記第２の測位信号についての前記第２の符号パターンの各々を生成し、前記生成された符号パターンと前記受信手段により受信されたスペクトラム拡散信号の変調に使用された符号パターンとのマッチングを同時に行うことにより、前記複数の符号パターンと前記スペクトラム拡散信号との相関処理をそれぞれ並行して実行し、前記複数の符号パターンの中から一致する符号パターンを、前記受信手段により受信されたスペクトラム拡散信号に対応する符号パターンとして特定する処理を行う特定手段と、
前記特定手段によって特定された符号パターンが前記第１の符号パターンまたは前記第２の符号パターンのいずれであるかにより、前記第１または第２のいずれの測位信号が受信されたかを判断する判断手段と、
前記判断手段による判断の結果に応じて、前記屋内送信機によって送信された前記第２の測位信号が受信された場合には前記第２の測位信号を復調することにより得られた信号から前記位置データを取得して、単一の前記屋内送信機から取得された前記位置データのみから前記屋内送信機の位置を直接特定し、複数の前記第１の測位信号が受信された場合には複数の前記スペクトラム拡散信号に基づいて前記位置情報を算出するよう処理を切り換えることにより、前記位置情報提供装置の位置情報を導出する位置情報算出手段と、
前記位置情報算出手段によって導出された位置情報を前記位置情報提供装置を携帯する使用者に通知するための表示手段とを備える、位置情報提供システム。
【請求項２】
前記Ｘ座標データは、緯度データであり、前記Ｙ座標データは、経度データであり、前記Ｚ座標データは、高度データである、請求項１記載の位置情報提供システム。
【請求項３】
前記衛星からの前記第１の測位信号に含まれる時刻情報を生成するための各前記衛星の第１の計時手段による計時と、前記屋内送信機の第２の計時手段による計時とは、互いに独立である、請求項１に記載の位置情報提供システム。
【請求項４】
前記第２の測位信号の形式は、前記第１の測位信号の形式と共通であり、前記第１の測位信号に含まれる航法メッセージの代わりに前記位置データを含み、
前記位置情報提供装置の前記位置情報算出手段は、複数の前記第１の測位信号が受信された場合に各前記航法メッセージに基づいて前記位置情報提供装置の位置を算出する算出手段を含む、請求項１に記載の位置情報提供システム。
【請求項５】
前記表示手段は、前記位置データのみから導出された前記位置情報を、計測された位置を表す画像として出力する、請求項１に記載の位置情報提供システム。
【請求項６】
前記位置データは、前記屋内送信機が設置される場所を特定するための、緯度、経度、高度を表すデータに加えて、前記屋内送信機が設置されている住所または建物の名称を表わすデータを含む、請求項１〜３のいずれか１項に記載の位置情報提供システム。
【請求項７】
前記符号化された測位信号の中心周波数は、１５７５．４２ＭＨｚであり、
前記測位信号の拡散周波数は、１．０２３ＭＨｚである、請求項１〜３のいずれか１項に記載の位置情報提供システム。
【請求項８】
複数の衛星からのスペクトラム拡散信号である第１の測位信号と屋内送信機からのスペクトラム拡散信号である第２の測位信号とを用いて、位置情報を提供することが可能な位置情報提供システムにおける位置情報提供装置であって、
前記第２の測位信号は、前記屋内送信機が設置される場所を特定するための位置データを伝送するためのフレーム構造を有し、前記フレーム構造は、前記位置データを格納するための領域として、Ｘ座標データを格納する領域と、Ｙ座標データを格納する領域と、Ｚ座標データを格納する領域とを有しており、
前記スペクトラム拡散信号を受信する受信手段と、
前記第１の測位信号についての第１の符号パターンと、前記第２の測位信号についての前記第１の符号パターンとは異なる第２の符号パターンとを格納する記憶手段と、
並列に設けられ、かつ前記第１の測位信号および前記第２の測位信号について共通に設けられた複数のコリレータを含み、前記複数のコリレータの各々においては前記第１の測位信号についての前記第１の符号パターンおよび前記第２の測位信号についての前記第２の符号パターンの各々を生成し、前記生成された符号パターンと前記受信手段により受信されたスペクトラム拡散信号の変調に使用された符号パターンとのマッチングを同時に行うことにより、前記複数の符号パターンと前記スペクトラム拡散信号との相関処理をそれぞれ並行して実行し、前記複数の符号パターンの中から一致する符号パターンを、前記受信手段により受信されたスペクトラム拡散信号に対応する符号パターンとして特定する処理を行なう特定手段と、
前記特定手段によって特定された符号パターンが前記第１の符号パターンまたは前記第２の符号パターンのいずれであるかにより、前記第１または第２のいずれの測位信号が受信されたかを判断する判断手段と、
前記判断手段による判断の結果に応じて、前記屋内送信機によって送信された前記第２の測位信号が受信された場合には前記第２の測位信号を復調することにより得られた信号から前記位置データを取得して、単一の前記屋内送信機から取得された前記位置データのみから前記屋内送信機の位置を直接特定し、複数の前記第１の測位信号が受信された場合には複数の前記スペクトラム拡散信号に基づいて前記位置情報を算出するよう処理を切り換えることにより、前記位置情報提供装置の位置情報を導出する位置情報算出手段と、
前記位置情報算出手段によって導出された位置情報を前記位置情報提供装置を携帯する使用者に通知する表示手段とを備える、位置情報提供装置。
【請求項９】
前記Ｘ座標データは、緯度データであり、前記Ｙ座標データは、経度データであり、前記Ｚ座標データは、高度データである、請求項８に記載の位置情報提供装置。
【請求項１０】
前記第２の測位信号の形式は、前記第１の測位信号の形式と共通であり、前記第１の測位信号に含まれる航法メッセージの代わりに前記位置データを含み、
各前記符号パターンは、各前記衛星および前記屋内送信装置ごとに異なり、
前記位置情報提供装置の前記位置情報算出手段は、複数の前記第１の測位信号が受信された場合に、各前記航法メッセージに基づいて、前記位置情報提供装置の位置を算出する算出手段をさらに含む、請求項８に記載の位置情報提供装置。
【請求項１１】
前記表示手段は、前記位置データのみから導出された前記位置情報を、計測された位置を表す画像として出力する、請求項８に記載の位置情報提供装置。
【請求項１２】
前記位置データは、前記屋内送信機が設置されている場所を特定するための、緯度、経度、高度を表すデータに加えて、前記屋内送信機が設置されている住所または建物の名称を表わす情報を含み、
前記表示手段は、前記情報に基づいて前記屋内送信機が設置されている場所を表示する表示手段を含む、請求項８または１０に記載の位置情報提供装置。
【請求項１３】
複数の衛星からのスペクトラム拡散信号である第１の測位信号と複数の屋内送信機からのスペクトラム拡散信号である第２の測位信号とを用いて、使用者の携帯する位置情報提供装置に対して位置情報を提供することが可能な位置情報提供システムにおける屋内送信機であって、
前記屋内送信機が設置される場所を特定するための位置データを格納する第１の記憶手段を備え、前記位置データは、単一の前記屋内送信機からの前記位置データのみで前記屋内送信機の位置を直接示すデータであり、
前記位置データを有する第２の測位信号をスペクトラム拡散信号として生成する生成手段とを備え、
前記第２の測位信号の形式は、前記第１の測位信号の形式と共通であり、前記第１の測位信号に含まれる航法メッセージの代わりに前記位置データを伝送するためのフレーム構造を有し、前記フレーム構造は、前記位置データを格納するための領域として、Ｘ座標データを格納する領域と、Ｙ座標データを格納する領域と、Ｚ座標データを格納する領域とを有し、
各前記符号パターンは、各前記衛星と前記屋内送信装置との間で異なっており、
前記スペクトラム拡散信号を前記位置情報提供装置へ送信する送信手段をさらに備え、
前記単一の屋内送信機によって送信される前記第２の測位信号についての符号パターンは、信号の干渉が発生しない程度の送信出力が使用される場合には、前記信号の干渉が発生しない位置に配置された前記単一の屋内送信機とは異なる他の屋内送信機において前記第２の測位信号についての符号パターンと同一の符号パターンが使用される、屋内送信機。
【請求項１４】
前記Ｘ座標データは、緯度データであり、前記Ｙ座標データは、経度データであり、前記Ｚ座標データは、高度データである、請求項１３記載の屋内送信機。
【手続補正２】
【補正対象書類名】明細書
【補正対象項目名】発明の名称
【補正方法】変更
【補正の内容】
【発明の名称】位置情報提供システム、位置情報提供装置および屋内送信機